(57)【要約】【課題】ユーザーがファームバージョンアップにより外部接続端子が使用可能になる撮像装置において、外部接続端子が使用不可能な状態ではユーザーが容易に蓋を開閉できない構造であり、外部接続端子が使用可能な状態では、ユーザーが容易に蓋を開閉でき、且つ防塵、防滴性能を備えた蓋が求められている。【解決手段】外部接続端子が使用不可能な状態では蓋の指かけ部を覆うことにより蓋を開閉できないようにするホルダーを設け、外部接続端子が使用可能な状態では、ホルダーを外すことにより、指かけ部により容易に開閉可能であり、防塵防滴性能を備えた、外部接続端子蓋を提供する。【選択図】図７
2017125983.tif 000002
【特許請求の範囲】
【請求項１】
外部接続端子を覆う蓋を有する撮像装置において、前記蓋は指かけ部を有し、前記指かけ部の少なくとも一部を覆うホルダーを有し、前記ホルダーが本体に固定されている第１の状態と前記ホルダーが取り外された、第２の状態を有することを特徴とする撮像装置。
【請求項２】
本体カバーには外部接続端子の機能表記があり、前記機能表記は第１の状態において、前記固定カバーにより覆われていることを特徴とする請求項１に記載の撮像装置。
【請求項３】
前記蓋は弾性部材であることを特徴とする請求項１又は請求項２に記載の撮像装置。
【発明の詳細な説明】
【技術分野】
【０００１】
本発明は、ビデオカメラの外部接続端子を保護するカバー部品に関する。
【背景技術】
【０００２】
従来、業務用のビデオカメラでは、発売時には使用できないが、バージョンアップにより使用可能になる外部接続端子がある。このような外部接続端子は、バージョンアップ前から筐体に外部接続用の端子が設置されており、ファームをバージョンアップすることにより、外部接続端子が使用可能になる。
【０００３】
このため、バージョンアップ前の、外部接続端子が使用不可能状態では、外部接続端子に蓋が取り付けられ、ネジ等により固定され、容易に蓋が開かない構成になっている。そして、バージョンアップにより外部接続端子が使用可能になると、蓋を固定していたネジを外すことにより蓋が開閉可能となり、外部接続端子を使用することができる。
【０００４】
しかし、蓋を開閉するため、ネジを外し、蓋を外すと、外部接続端子の防滴、防塵性能が低下してしまう。また、バージョンアップ後も外部端子の防滴、防塵性能を下げないためには、外部接続端子の使用後に、毎回ビスで蓋を固定しなければならなかった。
【０００５】
これに対し、特許文献１によれば、交換可能な外装カバーを有する撮像装置において、外部接続端子の保護及び製品の防滴、防塵のための第１の蓋を有し、交換可能な外装カバーの形状に合わせて、交換可能な第２の蓋を有し、第２の蓋を取り外しても、第１の蓋により防滴防塵性能を高めるというものがある。
【先行技術文献】
【特許文献】
【０００６】
【特許文献１】特開２０１４−４４９１４号公報
【発明の概要】
【発明が解決しようとする課題】
【０００７】
しかしながら、上記従来例では、外部接続端子の第２の蓋は、ビスで固定されていないため、外部接続端子が使用不可能な状態でも、蓋を開くことができ、ユーザーが外部接続端子にケーブルを接続することができてしまう。また、外部接続端子が使用可能な状態においては、２個の蓋を開き、ケーブルを挿さなければならないという煩わしさがあった。
【０００８】
このため、外部接続端子が使用不可能な状態では、ユーザーが容易に蓋を開閉できない構造で、且つ、外部接続端子が使用可能な状態では、ユーザーが容易に蓋を開閉でき、防塵防滴性能を備えた蓋が求められている。
【課題を解決するための手段】
【０００９】
上記の課題を解決するために、本発明に係る撮像装置は、
外部接続端子を覆う蓋を有する撮像装置において、前記蓋の一部を覆い、撮像装置本体に固定するホルダーを有し、前記蓋は指かけ部を有し、前記ホルダーは前記蓋の指かけ部の少なくとも一部を覆うことを特徴とする。
また、本発明に係る撮像装置の他の特徴とするところは、
本体カバーには外部接続端子の仕様を示す表記があり、前記表記は前記固定カバーにより覆われていることを特徴とする。
また、本発明に係る撮像装置のその他の特徴とするところは、
前記蓋は弾性部材であることを特徴とする。
【発明の効果】
【００１０】
本発明に係る撮像装置によれば、外部接続端子が使用不可能な状態では、外部接続端子蓋の指かけ部を覆うことにより、不容易な開閉を防止することが出来る。また、外部接続端子が使用可能な状態では、外部接続端子蓋の指かけ部により、容易に蓋を開閉でき、且つ防塵防滴性能を備えることができる。
【図面の簡単な説明】
【００１１】
【図１】本発明実施例の撮像装置本体左前側面図
【図２】本発明実施例の撮像装置本体左後側面図
【図３】本発明実施例の撮像装置本体蓋つき左前側面図
【図４】本発明実施例の撮像装置本体蓋つき左後側面図
【図５】本発明実施例の撮像装置本体ケーブル接続左前側面図
【図６】本発明実施例の撮像装置本体ケーブル接続左後側面図
【図７】本発明実施例の撮像装置のＵＳＢカバー周辺分解図
【図８】ＵＳＢジャックカバー単体図
【図９】ジャックホルダー単体図
【図１０】本発明実施例の撮像装置のＵＳＢジャックカバー拡大図
【図１１】本発明実施例の撮像装置のＵＳＢジャックカバー断面図
【発明を実施するための形態】
【００１２】
以下、本発明を実施するための形態を図面に基づいて説明する。
【００１３】
本実施形態における撮像装置において、レンズ（前玉）側から見た面を正面、正面と対向する面を背面、正面から見て右側の面を右側面、正面から見て左側の面を左側面、正面から見て上側の面を上面、正面から見て下側の面を底面、と各々称する。
【００１４】
≪撮像装置全体の説明≫
図１は本発明の撮像装置１００を示しており、前記撮像装置１００を左側面上方から見た斜視図である。
【００１５】
図１に示すように、前記撮像装置１００は本体部１０１に対し、正面側には、交換可能な撮像レンズ部１０２、が配置され、背面側には、電源を供給するためのバッテリー１０３が配置されている。
【００１６】
次に前記本体部１０１の詳細な説明を図１、図２を用いて説明する。
【００１７】
前記本体部１０１に搭載されたコネクタを順に説明する。
【００１８】
Ｄタップコネクタ１０４は外付けビデオライトや外付けモニタに電源を供給することが可能な電源コネクタである。
【００１９】
ワイヤレス通信コネクタ１０５は本体と接続することにより、撮影データを無線通信により転送可能なワイヤレス通信ユニットを接続することができるコネクタである。
【００２０】
マイク入力コネクタ１０６はＸＬＲコネクタであり、外付けマイクを本体に接続した際に、外付けマイクに入力された信号を前記撮像装置１００に送り、本体に搭載された基板で信号処理することにより、音声を記録することができる。
【００２１】
レンズコネクタ１０７は前記撮像レンズ部１０２に配置されたケーブルと接続することにより、レンズからの信号を本体部に送信するためのコネクタである。
【００２２】
カードコネクタ部１０８は蓋の内部に記録メディアが配置されている。ＵＳＢコネクタ１０９は、後述のＵＳＢ通信ユニットを接続することにより、無線通信を行うことができる。
【００２３】
次に図２は前記撮像装置１００を左側背面上方から見た斜視図である。
【００２４】
外付けモニタ接続コネクタ２０１は本体部に取り付け可能なＥＶＦと本体を電気的に接続するためのコネクタであり、ＥＶＦから出たケーブルを本体に接続することにより前記撮像レンズ部１０２から入力された映像をＥＶＦに出力することができる。
【００２５】
ＨＤＭＩ(登録商標）ケーブルコネクタ２０２は映像と音声を伝送する通信ケーブルであり、前記撮像レンズ部１０２から入力された映像と音声を外部モニタに出力することができる。
【００２６】
有線ＬＡＮケーブルコネクタ２０３はＬＡＮケーブルを接続することによりインターネットに接続することができる。
【００２７】
撮影情報出力コネクタ２０４、２０５はそれぞれ撮影した際の情報を出力するためのコネクタであり、外部機器に接続することにより、タイムコードやＧＥＮロックなどの情報を出力することができる。
【００２８】
モニタ２０６、２０７は前記撮像レンズ部１０２から入力された映像信号を出力するためのコネクタであり、本実施例ではＢＮＣコネクタを使用している。
【００２９】
リターン信号コネクタ２０８は外部情報入力のためのコネクタであり、複数台のカメラを用い撮影を行う際に、他のカメラが撮影している映像を、前記撮像装置１００のモニタに映し出すことが可能であり、ＢＮＣコネクタを使用している。
【００３０】
ＳＤＩコネクタ２０９、２１０、２１１、２１２は、外部にＳＤＩ信号を出力するためのコネクタでありＢＮＣコネクタを使用している。
【００３１】
リモコン端子２１３はリモコンユニットと接続することにより、入力された信号を前記本体部１０１に搭載された、不図示のＭＡＩＮ基板に入力し、前記撮像装置１００を操作することができる。
【００３２】
ランクコネクタ２１４は、ランクリモコンを接続することにより、前記撮像装置１００を操作することができる。
【００３３】
オーディオ出力ステレオコネクタ２１５は、前記撮像装置１００により録音された音声をステレオ信号で外部に出力することができる。
【００３４】
オーディオ出力モノラルコネクタ２１６は、前記撮像装置１００により録音された音声をモノラル信号で外部に出力することができる。
【００３５】
オーディオ出力モノラルコネクタ２１７も同様に前記撮像装置１００により録音された音声をモノラル信号で外部に出力することができ、前記オーディオ出力モノラルコネクタ２１６がチャンネル１を出力し、前記オーディオ出力モノラルコネクタ２１７がチャンネル２を出力する。
【００３６】
電源コネクタ２１８は前記撮像装置１００に電力を供給するためのコネクタである。
【００３７】
≪ジャックカバーの説明≫
次に図３、図４を用いコネクタ蓋について説明する。
【００３８】
図３及び図４は前記図１、図２に示した撮像装置全体図に対し、前記各コネクタに、保護及び、ゴミや水滴の侵入防止用の蓋を取り付けた図である。図３は本発明の撮像装置１００を示しており、前記撮像装置１００を左側面上方から見た斜視図である。
【００３９】
図３に示すように、Ｄタップコネクタ蓋３０１は前記Ｄタップコネクタ１０４を保護するためのカバーであり、ワイヤレス通信コネクタ蓋３０２は、前記ワイヤレス通信コネクタ１０５を保護するためのカバーである。
【００４０】
フロント端子カバー３０３は、本体固定部から腕が２つに分かれた形状をしており、それぞれの先端が、前記マイク入力コネクタ１０６と前記レンズコネクタ１０７を保護するカバーである。
【００４１】
ＵＳＢジャックカバー３０４は前記ＵＳＢコネクタ１０９を保護するカバーである。前記ＵＳＢジャックカバー３０４は、ジャックホルダー３０５により一端を本体に固定されている。
【００４２】
次に図４は前記撮像装置１００を左側背面上方から見た斜視図である。
【００４３】
図４に示すようにミドルジャックカバー４０１は本体固定部から腕が２つに分かれ、それぞれの先端が、前記外付けモニタ接続コネクタ２０１と、前記ＨＤＭＩケーブルコネクタ２０２を保護するカバーである。
【００４４】
有線ＬＡＮジャックカバー４０２は前記有線ＬＡＮケーブルコネクタ２０３を保護するカバーである。
【００４５】
ＢＮＣカバー４０３は、本体固定部から腕が２つに分かれ、それぞれの先端が、前記撮影情報出力コネクタ２０４、２０５を保護するカバーである。
【００４６】
モニターカバー４０４は本体固定部から腕が３つに分かれ、それぞれ先端が、前記モニタ２０６、２０７、前記リターン信号コネクタ２０８を保護するためのカバーである。
【００４７】
ＳＤＩカバー４０５は本体固定部から、腕が５つに分かれ、それぞれ先端が、前記ＳＤＩコネクタ２０９、２１０、２１１、２１２、リモコン端子２１３を保護するカバーである。
【００４８】
Ｌリアカバー４０６は、本体固定部から腕が２つに分かれ、それぞれの先端が、前記ランクコネクタ２１４、オーディオ出力ステレオコネクタ２１５を保護するカバーである。
【００４９】
リアジャックカバー４０７は本体固定部から腕が３つ出ておりそれぞれの先端が、前記オーディオ出力モノラルコネクタ２１６、オーディオ出力モノラルコネクタ２１７、を保護するカバーである。
【００５０】
≪ケーブルを接続した図の説明≫
次に図５、図６を用いてケーブルを接続した図の説明をする。
【００５１】
図５、図６は前記図１、図２に示した撮像装置全体図に対し、前記各コネクタに、それぞれケーブルを接続した図を示している。図５は本発明の撮像装置１００を示しており、前記撮像装置１００を左側面上方から見た斜視図である。
【００５２】
図５に示すように、Ｄタップケーブル５０１は前記Ｄタップコネクタ１０４に接続するケーブルであり、Ｌ字型のケーブルである。
【００５３】
ワイヤレス通信ユニット５０２は前記ワイヤレス通信コネクタ１０５に接続するユニットでありＬ字型のユニットである。
【００５４】
マイク入力ケーブル５０３は前記マイク入力コネクタ１０６に接続するケーブルである。
【００５５】
レンズケーブル５０４は前記レンズコネクタ１０７に接続するケーブルである。
【００５６】
ＵＳＢ通信ユニット５０５は、前記ＵＳＢコネクタ１０９に接続するユニットであり、Ｌ字型のユニットである。
【００５７】
図５のようにＤタップケーブル５０１、ワイヤレス通信ユニット５０２、ＵＳＢ通信ユニット５０５は、本体からの突出が少なく、側面に配置しても破壊の懸念が少ない。
【００５８】
次に図６は前記撮像装置１００を左側背面上方から見た斜視図である。
【００５９】
図６に示すように、外付けモニタ接続ケーブル６０１は、前記外付けモニタ接続コネクタ２０１に接続するケーブルである。
【００６０】
ＨＤＭＩケーブル６０２は、前記ＨＤＭＩケーブルコネクタ２０２に接続するケーブルであり、ケーブルにはコネクタ固定のためのネジがついており、本体に設けられたネジ穴に閉め込むことにより、ＨＤＭＩコネクタの破壊を防ぐことができる。
【００６１】
有線ＬＡＮケーブル６０３は、前記有線ＬＡＮケーブルコネクタ２０３に接続するケーブルである。
【００６２】
ＢＮＣケーブル６０４は、前記撮影情報出力コネクタ２０４に接続するケーブルである。
【００６３】
ＢＮＣケーブル６０５は、前記撮影情報出力コネクタ２０５に接続するケーブルである。
【００６４】
ＢＮＣケーブル６０６、６０７は、前記モニタ２０６、２０７に接続するケーブルである
ＢＮＣケーブル６０８は、前記リターン信号コネクタ２０８に接続するケーブルである。
【００６５】
ＢＮＣケーブル６０９、６１０、６１１、６１２はそれぞれ、前記ＳＤＩコネクタ２０９、２１０、２１１、２１２に接続するケーブルである。
【００６６】
リモコンケーブル６１３は前記リモコン端子２１３に接続するケーブルである。
【００６７】
ランクケーブル６１４は、前記ランクコネクタ２１４に接続するケーブルである。ＸＬＲ５ピンケーブル６１５は前記オーディオ出力ステレオコネクタ２１５に接続するケーブルである。
【００６８】
ＸＬＲ３ピンケーブル６１６、ＸＬＲ３ピンケーブル６１７はそれぞれ、前記オーディオ出力モノラルコネクタ２１６、前記オーディオ出力モノラルコネクタ２１７に接続するケーブルである。ＸＬＲ４ピンケーブル６１８は、前記電源コネクタ２１８に接続するケーブルである。
【００６９】
≪ジャックカバー説明≫
次に図７を用いて前記ＵＳＢジャックカバー３０４及びジャックホルダー３０５の詳細について説明する。
【００７０】
図７は撮像装置本体を左側後方から見た斜視図であり前記ＵＳＢジャックカバー３０４周辺の分解図である。
【００７１】
図に示すように撮像装置本体の左側面を覆う左側面カバー７０１には、前記ＵＳＢコネクタ１０９が取り付けられている。この端子を保護するために、前記ＵＳＢジャックカバー３０４が配置されている。
【００７２】
固定ビス７０２は前記ジャックホルダー３０５と前記左側面カバー７０１を固定するためのものである。
【００７３】
次に図８を用いて前記ＵＳＢジャックカバー３０４について詳細を説明する。
【００７４】
図８（ａ）、（ｂ）は前記ＵＳＢジャックカバー３０４の単体を示した図であり、（ａ）は、外観面側を示した図であり、（ｂ）は内面側を示した図である。
【００７５】
前記ＵＳＢジャックカバー３０４は、前記ＵＳＢコネクタ１０９が使用可能な状態において、ユーザーが開閉可能なジャック蓋として使用するため、開閉できるように指かけ部８０１が設けられている。また、本体接続腕８０２が前記左側面カバー７０１に設けられた穴に挿入され、先端の凸部８０３により本体から容易に抜け落ちない構造になっている。また、爪部８０４は前記ＵＳＢジャックカバー３０４と前記左側面カバー７０１を固定するための形状で、弾性変形をして前記ＵＳＢジャックカバー３０４と左側面カバー７０１が係合する。同様に圧入ボス８０５も、前記ＵＳＢジャックカバー３０４と、前記左側面カバー７０１を固定するための形状で、圧入ボス８０５を穴に圧入することにより固定される。このため前記ＵＳＢジャックカバー３０４は弾性部材で作成されている。
【００７６】
次に図９を用いて前記ジャックホルダー３０５について詳細を説明する。
【００７７】
図９は前記ジャックホルダー３０５の背面側を示した図であり、図に示す固定面９０１は、前記ＵＳＢジャックカバー３０４の外観面に接触する面である。固定リブ９０２は前記指かけ部８０１に接触する面である。ビス座面９０３は前記左側面カバー７０１に接する面である。
【００７８】
次に図１０、図１１を用いて前記ＵＳＢジャックカバー３０４周辺の接続について説明する。
【００７９】
図１０（ａ）は、ＵＳＢコネクタ１０９が使用不可能な状態を示しており、前記左側面カバー７０１に、ＵＳＢジャックカバー３０４とジャックホルダー３０５を固定ビス７０２により固定した第１の状態を示している。前記ＵＳＢコネクタ１０９が、使用不可能な状態では、ユーザーが容易に開閉できないようにするため、前記ＵＳＢジャックカバー３０４の一部、特に指かけ部を覆うように、前記ジャックホルダー３０５が配置されている。前記ジャックホルダー３０５は、前記固定ビス７０２により前記左側面カバー７０１に固定される。これにより、前記ＵＳＢジャックカバー３０４は開閉できなくなる。
【００８０】
次に図１０（ｂ）はＵＳＢコネクタ１０９が使用可能な第２の状態を示しており、前記ジャックホルダー３０５と固定ビス７０２を外した状態を示している。
【００８１】
図１０（ｂ）に示したように、前記左側面カバー７０１のビス止め部周辺には、前記ＵＳＢコネクタ１０９の機能表記１００１が印刷されており、ジャックホルダー３０５が取り外されることにより、覆われていた機能表記１００１が目視できるようになる。
【００８２】
図１１（ａ）は前記図１０に示したＡ−Ａ断面である。
【００８３】
図に示すように、指かけ部８０１が設けられた前記ＵＳＢジャックカバー３０４の辺に対し反対の辺に、前記本体接続腕８０２及び爪部８０４は配置されている。前記固定面９０１と前記固定リブ９０２が前記指かけ部８０１を覆い、左側面カバー７０１とジャックホルダー３０５が固定ビス７０２により固定される。更には爪部８０４が左側面カバー７０１に係合するため、ジャックホルダー３０５は容易に開かない構造になっている。
【００８４】
次に図１１（ｂ）は、図１０（ｂ）に示したＢ−Ｂ断面である。
【００８５】
図に示すように前記ジャックホルダー３０５が取り外されているため、前記指かけ部８０１を引き上げると、前記本体接続腕８０２が引き出され、前記凸部８０３が前記左側面カバー７０１に当たるまで引き出される構造になっている。また、前記指かけ部８０１を引き上げる際に前記本体接続腕８０２を支点に回転しながら開くため、前記爪部８０４が前記左側面カバー７０１から外れる構造になっている。
【００８６】
以上の構成により、ＵＳＢコネクタ１０９が使用不可能な状態ではジャックホルダー３０５によりＵＳＢジャックカバー３０４の指かけ部８０１が覆われ固定されるため、容易に開閉することができない。また、ＵＳＢコネクタ１０９が使用可能な状態になると、ＵＳＢジャックカバー３０４は、指かけ部８０１を用い容易に開閉することができるようになる。
【００８７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００８８】
１００  撮像装置、１０１  本体部、１０２  撮像レンズ部、１０３  バッテリー、
１０４  Ｄタップコネクタ、１０５  ワイヤレス通信コネクタ、
１０６  マイク入力コネクタ、１０７  レンズコネクタ、１０８  カードコネクタ部、
１０９  ＵＳＢコネクタ、２０１  外付けモニタ接続コネクタ、
２０２  ＨＤＭＩケーブルコネクタ、２０３  有線ＬＡＮケーブルコネクタ、
２０４，２０５  撮影情報出力コネクタ、２０６，２０７  モニタ、
２０８  リターン信号コネクタ、２０９，２１０，２１１，２１２  ＳＤＩコネクタ、
２１３  リモコン端子、２１４  ランクコネクタ、
２１５  オーディオ出力ステレオコネクタ、２１６  オーディオ出力モノラルコネクタ、
２１７  オーディオ出力モノラルコネクタ、２１８  電源コネクタ、
３０１  Ｄタップコネクタ蓋、３０２  ワイヤレス通信コネクタ蓋、
３０３  フロント端子カバー、３０４  ＵＳＢジャックカバー、
３０５  ジャックホルダー、４０１  ミドルジャックカバー、
４０２  有線ＬＡＮジャックカバー、４０３  ＢＮＣカバー、４０４  モニターカバー、
４０５  ＳＤＩカバー、４０６  Ｌリアカバー、４０７  リアジャックカバー、
５０１  Ｄタップケーブル、５０２  ワイヤレス通信ユニット、
５０３  マイク入力ケーブル、５０４  レンズケーブル、５０５  ＵＳＢ通信ユニット、
６０１  外付けモニタ接続ケーブル、６０２  ＨＤＭＩケーブル、
６０３  有線ＬＡＮケーブル、６０４〜６１２  ＢＮＣケーブル、
６１３  リモコンケーブル、６１４  ランクケーブル、６１５  ＸＬＲ５ピンケーブル、
６１６  ＸＬＲ３ピンケーブル、６１７  ＸＬＲ３ピンケーブル、
６１８  ＸＬＲ４ピンケーブル、７０１  左側面カバー、７０２  固定ビス、
８０１  指かけ部、８０２  本体接続腕、８０３  凸部、８０４  爪部、
８０５  圧入ボス、９０１  固定面、９０２  固定リブ、９０３  ビス座面、
１００１  機能表記
【図１】
2017125983.tif 000003
【図２】
2017125983.tif 000004
【図３】
2017125983.tif 000005
【図４】
2017125983.tif 000006
【図５】
2017125983.tif 000007
【図６】
2017125983.tif 000008
【図７】
2017125983.tif 000009
【図８】
2017125983.tif 000010
【図９】
2017125983.tif 000011
【図１０】
2017125983.tif 000012
【図１１】
2017125983.tif 000013